(57)【要約】【課題】  課金印刷を行う印刷装置と離れた場所に設置されたユーザ端末に、利用金額を表示し、利用上限額に近づいた場合警告を行い、処理途中の印刷処理をユーザが選択的に中止することができる印刷システムおよび印刷装置および情報処理装置を提供する。【解決手段】  印刷装置２００は、ネットワーク８０を介して接続されたユーザ端末１００の指示にて課金印刷を行い、印刷指示を行ったユーザ端末１００に用紙排出毎に用紙排出情報、課金情報を送信し、ユーザ端末１００は、印刷装置２００から受信した用紙排出情報、課金情報に基づき、利用開始時刻から現在までの利用総額を計算して表示部に表示する。設定した利用上限額に近づいた場合は警告表示を行い、印刷途中での停止要求操作がユーザ端末１００にて行われると印刷装置２００は印刷処理を中止する。【選択図】  図１
2008097115.tif 000002
【特許請求の範囲】
【請求項１】
複数の情報処理装置と、
前記情報処理装置と通信手段を介して接続され、該情報処理装置からの印刷指示に基づき印刷を行う印刷装置と
を具備し、
前記印刷装置は、
前記情報処理装置からの印刷指示に基づく印刷の用紙排出情報および課金額を計算するための課金情報を該印刷指示を行った情報処理装置に対してそれぞれ送信する送信手段と、
前記情報処理装置からの印刷停止要求に基づき該情報処理装置からの印刷指示に基づく印刷を選択的に停止するように制御する印刷停止制御手段と
を具備し、
前記情報処理装置は、
前記送信手段により前記印刷装置から送信された前記用紙排出情報および課金額を計算するための課金情報に基づき自装置の現在の課金額を算出する算出手段と、
前記算出手段で算出した自装置の現在の課金額を報知する報知手段と、
前記報知手段による報知を参照して前記印刷装置に対して自装置の印刷停止要求を行う印刷停止要求手段と
を具備する印刷システム。
【請求項２】
前記印刷装置は、
前記情報処理装置の利用者に対応して利用上限額を管理する管理手段と、
前記情報処理装置からの印刷指示に基づく印刷により該情報処理装置の利用額が前記管理手段により管理される該当利用上限額に近くなった場合は、該当利用上限額を該当情報処理装置に通知する通知手段と
を具備し、
前記報知手段は、
前記通知手段により通知された前記利用上限額を前記現在の課金額とともに報知する請求項１記載の印刷システム。
【請求項３】
前記情報処理装置は、
該情報処理装置の利用開始時刻を設定する設定手段
を具備し、
前記算出手段は、
前記設定手段により設定された前記利用開始時刻からの該情報処理装置の利用料を含めた課金額を算出する請求項１または２記載の印刷システム。
【請求項４】
複数の情報処理装置から通信手段を介して送信された印刷指示に基づく印刷による用紙排出情報および課金額を計算するための課金情報を該印刷指示を行った情報処理装置に対してそれぞれ送信する送信手段と、
前記情報処理装置からの印刷停止要求に基づき該情報処理装置からの印刷指示に基づく印刷を選択的に停止するように制御する印刷停止制御手段と
を具備する印刷装置。
【請求項５】
前記情報処理装置の利用者に対応して利用上限額を管理する管理手段と、
前記情報処理装置からの印刷指示に基づく印刷により該情報処理装置の利用額が前記管理手段により管理される該当利用上限額に近くなった場合は、該当利用上限額を該当情報処理装置に通知する通知手段と
を具備する請求項４記載の印刷装置。
【請求項６】
印刷装置から送信された印刷指示に係わる印刷の用紙排出情報および課金額を計算するための課金情報を受信する受信手段と、
前記受信手段により受信した前記用紙排出情報および課金額を計算するための課金情報に基づき自装置の現在の課金額を算出する算出手段と、
前記算出手段で算出した自装置の現在の課金額を報知する報知手段と、
前記報知手段による報知を参照して前記印刷装置に対して自装置の印刷停止要求を行う印刷停止要求手段と
を具備する情報処理装置。
【請求項７】
前記報知手段は、
利用者毎に設定された利用上限額を前記現在の課金額とともに報知する請求項６記載の情報処理装置。  
【発明の詳細な説明】
【技術分野】
【０００１】
本発明は、印刷システムおよび印刷装置および情報処理装置に関する。
【背景技術】
【０００２】
ネットカフェ等においては、不特定多数のユーザで１または複数のプリンタを共有して利用する印刷環境が構築されている。このような印刷環境においては、ユーザが印刷を行う都度、所定の課金額が徴収される。この課金額は、印刷枚数に応じてその徴収額が増加することになるが、印刷枚数以外にも、白黒／カラー、出力用紙サイズ、用紙紙質等の印刷条件に応じて徴収額は増減する。
【０００３】
このような印刷環境においては、印刷指示段階では課金額が分からないため、料金超過によるトラブルが発生したり、料金を気にし過ぎて印刷に消極的になったりするといった問題があった。
【０００４】
例えば、特許文献１には、試算した課金額が、ユーザの希望額以内でない場合には、より安価な代替印刷条件を提案する技術について言及されている。
【特許文献１】特開２００５−２５４５７１号。
【発明の開示】
【発明が解決しようとする課題】
【０００５】
本発明は、印刷装置と別の場所に配設された装置上であっても、印刷枚数、印刷条件に応じた課金額をユーザがリアルタイムで予測、把握できるようにするともともに、予め設定した利用上限額に近づいた場合、利用者に警告し、ユーザにて印刷処理を停止することができるようにした印刷システムおよび印刷装置および情報処理装置を提供することを目的とする。
【課題を解決するための手段】
【０００６】
上記目的を達成するために、請求項１の発明の印刷システムは、複数の情報処理装置と、情報処理装置と通信手段を介して接続され、該情報処理装置からの印刷指示に基づき印刷を行う印刷装置とを具備し、印刷装置は、情報処理装置からの印刷指示に基づく印刷の用紙排出情報および課金額を計算するための課金情報を該印刷指示を行った情報処理装置に対してそれぞれ送信する送信手段と、情報処理装置からの印刷停止要求に基づき該情報処理装置からの印刷指示に基づく印刷を選択的に停止するように制御する印刷停止制御手段とを具備し、情報処理装置は、送信手段により印刷装置から送信された用紙排出情報および課金額を計算するための課金情報に基づき自装置の現在の課金額を算出する算出手段と、算出手段で算出した自装置の現在の課金額を報知する報知手段と、報知手段による報知を参照して印刷装置に対して自装置の印刷停止要求を行う印刷停止要求手段とを具備する。
【０００７】
また、請求項２の発明は、請求項１の発明の印刷システムにおいて、印刷装置は、情報処理装置の利用者に対応して利用上限額を管理する管理手段と、情報処理装置からの印刷指示に基づく印刷により該情報処理装置の利用額が管理手段により管理される該当利用上限額に近くなった場合は、該当利用上限額を該当情報処理装置に通知する通知手段とを具備し、報知手段は、通知手段により通知された利用上限額を現在の課金額とともに報知する。
【０００８】
また、請求項３の発明は、請求項１または２記載の印刷システムにおいて、情報処理装置は、情報処理装置の利用開始時刻を設定する設定手段を具備し、算出手段は、設定手段により設定された利用開始時刻からの該情報処理装置の利用料を含めた課金額を算出する。
【０００９】
また、請求項４の発明の印刷装置は、複数の情報処理装置から通信手段を介して送信された印刷指示に基づく印刷による用紙排出情報および課金額を計算するための課金情報を該印刷指示を行った情報処理装置に対してそれぞれ送信する送信手段と、情報処理装置からの印刷停止要求に基づき該情報処理装置からの印刷指示に基づく印刷を選択的に停止するように制御する印刷停止制御手段とを具備する。
【００１０】
また、請求項５の発明は、請求項４の発明の印刷装置において、情報処理装置の利用者に対応して利用上限額を管理する管理手段と、情報処理装置からの印刷指示に基づく印刷により該情報処理装置の利用額が管理手段により管理される該当利用上限額に近くなった場合は、該当利用上限額を該当情報処理装置に通知する通知手段とを具備する。
【００１１】
また、請求項６の発明の情報処理装置は、印刷装置から送信された印刷指示に係わる印刷の用紙排出情報および課金額を計算するための課金情報を受信する受信手段と、受信手段により受信した用紙排出情報および課金額を計算するための課金情報に基づき自装置の現在の課金額を算出する算出手段と、算出手段で算出した自装置の現在の課金額を報知する報知手段と、報知手段による報知を参照して印刷装置に対して自装置の印刷停止要求を行う印刷停止要求手段とを具備する。
【００１２】
また、請求項７の発明は、請求項６の発明の情報処理装置において、報知手段は、利用者毎に設定された利用上限額を現在の課金額とともに報知する。
【発明の効果】
【００１３】
本発明によれば、印刷装置と別の場所に配設された装置上であっても、印刷枚数、印刷条件に応じた課金額を、印刷した用紙の排出毎に算出してユーザに把握させることができるとともに、設定した利用上限額に近づいた場合、ユーザに報知し、ユーザは、必要に応じて印刷処理を停止することができ、課金印刷の利便性が向上する。また、複数頁の印刷を行って、課金額がユーザの想定額を越えるといった会計時のトラブルを未然に防止することができる。
【発明を実施するための最良の形態】
【００１４】
以下、本発明に係わる印刷システムおよび印刷装置および情報処理装置の実施例について添付図面を参照して詳細に説明する。
【実施例】
【００１５】
図１は、本発明に係わる情報処理装置、印刷装置を配した印刷システムの全体構成の一例を示す図である。
【００１６】
なお、本実施例の説明においては、本発明に係わる情報処理装置をユーザ端末１００として示して説明する。
【００１７】
印刷システム１０は、ネットワーク８０を介してユーザ端末１００と印刷装置２００とが接続され、ユーザ端末１００と印刷装置２００とは別々の場所に配設されている。
【００１８】
さらに、印刷装置２００は、印刷装置２００を操作するユーザ以外の特定の管理者によってのみ操作可能な場所に配設されている。
【００１９】
ユーザ端末１００は、ユーザが扱う汎用的なパーソナルコンピュータ等であり、ネットワーク８０上に複数台設けられる。
【００２０】
ユーザは、ユーザ端末１００上から所望の印刷条件を指定して印刷装置２００に対する印刷操作を行う。
【００２１】
図１に示した印刷システム１０は、ユーザ端末１００毎に、ユーザの利用開始、終了時刻を管理し、単位時間あたりの設定料金に基づいて端末使用料が課金されるとともに、印刷装置２００に印刷を行った場合は、図３に示すように、印刷する用紙の種類、印刷する画像がカラー、モノクロ等、印刷条件の組み合わせ毎に設定された一枚あたりの課金額に印刷したに枚数を乗じて算出した額が印刷料金として課金される。
【００２２】
なお、本実施例において、印刷システム１０は、１台の印刷装置２００を共有して利用する構成の場合について説明する。
【００２３】
ユーザ端末１００上においては、印刷装置２００に対応したプリンタドライバが起動し、ユーザ端末１００の表示部には、プリンタドライバによる印刷操作画面６０（図６）が表示される。  印刷操作画面６０では、印刷枚数の設定をはじめ、拡大／縮小率、白黒／カラー、片面／両面、出力用紙サイズ、出力用紙の種類、Ｎｕｐ（Ｎページの内容を１ページにまとめて印刷）等の各種印刷条件の設定を行うことができる。
【００２４】
印刷操作画面６０から印刷枚数、印刷設定を行うと、現設定にて印刷を行った場合に徴収が見込まれる料金が、印刷操作画面６０に表示されるとともに、ユーザ端末１００の利用開始時刻からの経過時間に基づいて算出された利用料金に印刷した分の印刷料金が加算した現時点での利用金額が印刷操作画面６０に表示される（図６の６３）。
【００２５】
そして、印刷操作画面６０の印刷開始ボタン６１の押下にて設定した印刷条件での印刷処理が開始されると、印刷装置２００から通知される一枚毎の用紙排出通知に基づいて、印刷料金の合計額、利用金額の値がリアルタイムにて更新される利用料金表示画面７０が表示される。
【００２６】
また、印刷システム１０は、ユーザ端末１００を使用する各ユーザに対して利用金額の上限額を設定するとともに、利用上限額への到達あるいは超過を防止するため、利用上限額に近くなった場合にユーザに対して警告する所定の額を設定し、印刷による課金処理において、設定した所定の額を超えた場合、利用金額警告画面７３（図７（Ｂ））を表示してユーザに報知する。
【００２７】
また、印刷システム１０は、印刷処理中画面、および、利用金額警告画面７３に設けられた印刷中止ボタンを使用して印刷装置２００に対して印刷指示を行った印刷処理を中止する操作が可能であり、印刷装置２００は、複数枚れ数の印刷を行っている途中において、ユーザ端末１００にて印刷中止操作が行われた場合は印刷処理を中止する。
【００２８】
図１に示したユーザ端末１００、印刷装置２００それぞれの機能的な構成を図２のブロック図に示して説明する。
【００２９】
ユーザ端末１００は、制御部１１０、記憶部１２０、表示部１３０、入力部１４０、通信部１５０とを具備して構成される。
【００３０】
表示部１３０は、各種情報の表示を行う表示装置であり、入力部１４０は、ユーザが入力操作を行うキーボードやマウス等の入力装置である。
【００３１】
記憶部１２０は、各種データを記憶する記憶装置であり、記憶部１２０は、ユーザ端末１００の使用開始時刻が、管理装置（不図示）からネットワーク８０を介して取得され記録される利用開始時刻１２１、印刷装置２００、管理装置（不図示）からネットワーク８０を介して取得され、各種印刷条件に応じた課金額がそれぞれ設定された印刷単価設定管理テーブル１２２（例えば、図３）、ユーザ端末１００を使用するユーザに対する利用開始時刻からの端末使用料金、印刷した分の課金総額、利用上限額、警告設定金額が記録された利用料金管理情報１２３（例えば、図４）を記憶する。
【００３２】
制御部１１０は、ユーザ端末１００全体を統括して制御し、ユーザに対して、印刷条件の設定および印刷操作を行うための印刷操作画面の表示制御を表示部１３０に対して行うとともに、対象となる制御情報を、印刷対象となるデータを印刷装置２００が解釈可能な形式のデータに変換し、この変換されたデータを通信部１５０を介して印刷装置２００に対して印刷装置２００を制御するプリンタドライバ１１１を有する。
【００３３】
プリンタドライバ１１１は、機能的な構成要素として、印刷データ作成部１１２、利用開始時刻設定部１１３、利用料金算出部１１４、利用料金表示部１１５、利用停止要求処理部１１６をさらに具備する。
【００３４】
印刷データ作成部１１２は、表示部１３０に表示した印刷操作画面６０に対して入力部１４０にてユーザが設定した印刷条件に基づいて印刷データを作成する。
【００３５】
利用開始時刻設定部１１３は、ユーザ端末１００を使用するユーザの使用時間を、管理装置（図示せず）から受信し、記憶部１２０の利用開始時刻１２１に記録するとともに、利用料金管理情報１２３の記録内容を初期化する。さらに、ユーザの使用が終了した場合、管理装置からの要求にて利用料金管理情報１２３に記録した情報を管理装置に送信する。
【００３６】
利用料金算出部１１４は、記憶部１２０に記録した利用開始時刻１２１以降のユーザ端末１００の使用料金と、利用開始時刻１２１以降に、印刷装置２００にて印刷して課金された分の印刷料金を計算し、計算した結果を利用料金管理情報１２３に記録して管理する。
【００３７】
利用料金表示部１１５は、印刷操作画面６０、利用料金表示画面７０、利用金額警告画面７３を表示部１３０に表示するための表示制御を行う。
【００３８】
利用停止要求処理部１１６は、表示部１３０に表示した利用料金表示画面７０における印刷停止ボタン７４の押下操作を入力部１４０にて検知すると、印刷装置２００に対して印刷処理の中止を指示する印刷制御コマンドを通信部１５０を介して印刷装置２００に送信する。
【００３９】
通信部１５０は、印刷装置２００とネットワーク８０を介したデータ通信を行う。
【００４０】
一方、印刷装置２００は、印刷制御部２１０、印刷装置記憶部２２０、画像形成部２３０、印刷装置通信制御部２４０、操作パネル２５０を具備して構成される。
【００４１】
印刷制御部２１０は、課金処理部２１１、課金情報通知部２１２、利用金額監視部２１３、印刷停止制御部２１４をさらに具備する。
【００４２】
課金処理部２１１は、画像形成部２３０にて印刷して排出した用紙の課金額を、印刷用紙のサイズ、種類、印刷条件に基づいて印刷単価設定管理テーブル１２２を参照して特定し、特定した課金額と、排出した用紙の枚数、さらには、ユーザ端末１００から印刷データとともに受信した利用金額に基づいて、用紙排出毎に利用金額を再計算して印刷装置記憶部２２０に、印刷処理が完了するまでの間記録して管理する。
【００４３】
課金情報通知部２１２は、画像形成部２３０にて印刷された用紙の排出毎に、印刷し用紙の排出が完了したことをユーザ端末１００に通知するとともに、課金処理部２１１にて計算して課金された利用金額の情報を、印刷装置通信制御部２４０を介してユーザ端末１００に送信する。
【００４４】
利用金額監視部２１３は、ユーザ端末１００から印刷データとともに受信した利用金額、および、利用料金の総額が利用上限額に近づいた場合に利用者に報知する設定金額を、管理装置の表示装置に表示される設定画面（例えば、図５）による管理者の設定操作にて管理装置から受信し、印刷装置記憶部２２０を一時的に保存して記憶する。
【００４５】
印刷停止制御部２１４は、印刷装置通信制御部２４０を介して印刷中止コマンドを受信した場合、画像形成部２３０対して印刷処理を中止するための停止制御を行う。
【００４６】
次に、ユーザ端末１００における印刷処理の動作を図８のフローチャートに示して説明する。
【００４７】
プリンタドライバ１１１は、表示部１３０に表示された印刷操作画面６０における印刷条件の設定操作および印刷指示操作を検知し、印刷データ作成部１１２にて作成した印刷データ、利用料金管理情報１２３に記憶して管理される印刷指示直前の利用額、警告通知設定額を、通信部１５０を介して印刷装置２００に送信する（Ｓ１０１）。
【００４８】
用紙排出情報を通信部１５０を介して印刷装置２００から受信すると（Ｓ１０２ＹＥＳ）、プリンタドライバ１１１は、排出した用紙の課金額に基づいて利用料金管理情報１２３に記録された印刷料金、利用料金の総額を再計算して更新するとともに（Ｓ１０３）、利用料金表示画面７０における排出枚数連動表示領域７１の排出枚数、利用金額表示領域７２の表示金額を更新する（Ｓ１０４）。
【００４９】
用紙排出情報とともに、利用金額に対する警告を通信部１５０を介して印刷装置２００から受信した場合（Ｓ１０５ＹＥＳ）、プリンタドライバ１１１は、利用金額警告画面７３を利用料金表示部１１５にて表示部１３０に出力する（Ｓ１０６）。
【００５０】
ステップＳ１０３の処理によって表示部１３０に表示した利用料金表示画面７０、あるいは、ステップＳ１０６の処理によって表示部１３０に表示した利用金額警告画面７３に表示される印刷中止指示ボタン７４の押下操作が入力部１４０にて行われると（Ｓ１０７ＹＥＳ）、利用停止要求処理部１１６は、印刷処理の中止を要求する制御コマンドを通信部１５０を介して印刷装置２００に送信する（Ｓ１０８）。複数ページの印刷処理であって、未処理の印刷ページがある場合（Ｓ１０９ＮＯ）、ステップＳ１０２の処理に戻り、課金印刷処理を繰り返して行い、全ページの課金印刷処理が完了すると（Ｓ１０９ＹＥＳ）印刷処理を終了する。
【００５１】
次に、印刷装置２００による印刷処理の動作を、図９のフローチャートに示して説明する。
【００５２】
印刷制御部２１０は、印刷装置通信制御部２４０を介してユーザ端末１００からの印刷データおよび現時点での利用金額、利用金額に対して警告を行う設定金額を受信し、受診した設定金額、利用金額を印刷装置記憶部２２０に一時保存する（Ｓ２０１）、受信した印刷データに基づく印刷ページ毎の用紙に対する画像形成処理を画像形成部２３０にて行い、画像形成部２３０における一枚毎の用紙排出を監視する。
【００５３】
画像形成部２３０における印刷した用紙の排出を検知すると（Ｓ２０２）、課金処理部２１１は、排出した用紙の課金額を印刷単価設定管理テーブル１２２から特定して読み取り、読み取った課金額を利用金額に加算した額にて、印刷装置記憶部２２０に一時記憶した利用金額を更新する（Ｓ２０３）。
【００５４】
課金処理部２１１にて再計算した利用金額が、印刷装置記憶部２２０に記録した設定金額を超えたことを利用金額監視部が検知すると（Ｓ２０４ＹＥＳ）、課金情報通知部２１２によって、用紙排出情報と設定金額の超過を通知する情報を作成し印刷装置通信制御部２４０を介して印刷要求元のユーザ端末１００に送信する（Ｓ２０６）。
【００５５】
一方、課金処理部２１１にて計算した利用金額が設定金額に満たない場合（Ｓ２０４ＮＯ）、課金情報通知部２１２は、用紙排出情報のみをユーザ端末１００に送信する（Ｓ２０５）。
【００５６】
画像形成部２３０における最終ページの用紙排出を検知すると（Ｓ２０９ＹＥＳ）、課金情報通知部２１２は、用紙排出情報と印刷処理が完了したことを通知する情報を、印刷装置通信制御部２４０を介してユーザ端末１００に送信し（Ｓ２１０）、印刷ページが複数ある場合で、未処理の印刷ページがある場合（Ｓ２０９ＮＯ）、ステップＳ２０２の処理に戻り、次ページ以降の印刷処理、課金処理、利用金額の監視処理を繰り返して行う。
【００５７】
また、画像形成部２３０にて未処理の印刷ページがある状態で、印刷の停止を指示する印刷コマンドを印刷装置通信制御部２４０を介してユーザ端末１００から受信した場合（Ｓ２０７ＹＥＳ）、印刷中止制御部２１４は、画像形成部２３０による次ページ以降の印刷処理を中止し、課金情報通知部２１２は、用紙排出情報と印刷中止処理が完了したことを通知する情報を印刷装置通信制御部２４０を介して、印刷中止操作を行ったユーザ端末１００に送信する（Ｓ２０８）。
【産業上の利用可能性】
【００５８】
本発明の印刷システムおよび印刷装置および情報処理装置は、課金印刷を行う印刷システム、印刷システムが具備する印刷装置、印刷装置に接続して印刷制御を行う情報処理装置に利用可能である。
【図面の簡単な説明】
【００５９】
【図１】本発明の印刷装置、情報処理装置を配した印刷システムの一構成例を示す図。
【図２】情報処理装置と印刷装置の構成をそれぞれ示したブロック図。
【図３】印刷単価設定管理テーブルの一例を示す図。
【図４】利用金額管理情報に記録して管理される内容の一例を示す図。
【図５】利用上限額の設定、および、利用上限額に対して設定した金額にてユーザに警告を発する設定金額の設定例を示す図。
【図６】印刷操作画面の例を示す図。
【図７】印刷処理実行中にユーザ端末に表示される利用料金表示画面、利用金額警告画面の表示イメージをそれぞれ示した図。
【図８】情報処理端末における印刷処理の一例を示すフローチャート。
【図９】印刷装置における印刷用紙排出時の課金処理、利用金額の警告処理、印刷停止要求の受信による印刷停止制御の動作の一例を示すフローチャート。
【符号の説明】
【００６０】
１０  印刷システム
１００  ユーザ端末
１１０  制御部
１１１  プリンタドライバ
１１２  印刷データ作成部
１１３  利用開始時刻設定部
１１４  利用料金算出部
１１５  利用料金表示部
１１６  利用停止要求処理部
１２０  記憶部
１２１  利用開始時刻
１２２  印刷単価設定管理テーブル
１２３  利用料金管理情報
１３０  表示部
１４０  入力部
１５０  通信制御部
２００  印刷装置
２１０  印刷制御部
２１１  課金処理部
２１２  課金情報通知部
２１３  利用金額監視部
２１４  印刷停止制御部
２２０  印刷装置記憶部
２３０  画像形成部
２４０  印刷装置通信制御部
２５０  操作パネル
６０  印刷操作画面
６１  印刷開始ボタン
６２  取り消しボタン
６３  課金額表示領域
７０  利用料金表示画面
７１  排出枚数連動表示領域
７２  利用金額表示領域
７３  利用金額警告画面
７４  印刷中止指示ボタン
８０  ネットワーク
【図１】
2008097115.tif 000003
【図２】
2008097115.tif 000004
【図３】
2008097115.tif 000005
【図４】
2008097115.tif 000006
【図５】
2008097115.tif 000007
【図６】
2008097115.tif 000008
【図７】
2008097115.tif 000009
【図８】
2008097115.tif 000010
【図９】
2008097115.tif 000011